(57)【要約】【課題】  部品点数を増加させることなく負荷が局部的にかからないようにすること。【解決手段】  トレイオープン時に、ダブルラック２２のサブラック２５をばね２４に抗して前進ａさせることにより係合片３３をロック板３５に係合させるようにしたディスク装置において、ローダーシャーシ２の前板部２ａの縦溝１４の下端に隣接してストッパ４３が該前板部２ａに一体突設され、そのストッパ４３を縦溝１４の内側面とそれに嵌入するカムピン１１ａとの間の隙間αに相当する分だけ該縦溝１４側に入り込ませており、トラバースシャーシ６を下動させて傾斜姿勢にしたときに、カムピン１１ａがストッパ４３の側縁に当接される。【選択図】        図７
2008198278.tif 000002
【特許請求の範囲】
【請求項１】
ディスク載置用トレイを前後進可能に支持するローダーシャーシが設けられ、光ピック
アップとターンテーブルとを搭載したトラバースシャーシの後部が弾性体を介してローダ
ーシャーシに上下動可能に連結され、該ローダーシャーシの前板部にカムスライダが前後
進方向とは直交する左右方向に沿ってスライド可能に配置され、該カムスライダに形成し
たカム溝と前記トラバースシャーシの前面に一体突設されて該カム溝に嵌入するカムピン
とからなるカム機構によりそのトラバースシャーシがカムスライダに連動連結され、前記
カムピンが前板部の縦溝に遊嵌入されて、そのカムピンと縦溝の両内側面との間に隙間が
形成され、前記カムスライダの一端に形成したカムラックと前記トレイの下面に前後進方
向に沿って一体突設したトレイラックとが噛合可能な第１ピニオンがローダーシャーシの
前板部に回転可能に配置され、前記光ピックアップに一体連結したメインラックと該メイ
ンラックに一定範囲内前後進可能に連結した状態でばねにより後進側に付勢されたサブラ
ックとからなるダブルラックが設けられ、該ダブルラックに噛合可能な第２ピニオンがロ
ーダーシャーシに設けられ、第１、第２のピニオンをギヤ機構を介して正逆回転させるフ
ィードモータがトラバースシャーシに設けられ、前記サブラックの前端に突設した操作ピ
ンに対向して前記カムスライダに操作溝が形成されると共に、そのサブラックの前部側縁
に係合片が一体突設されると共に、該係合片に対向してローダーシャーシの前板部にロッ
ク板が一体形成され、前記トレイの両側面後端にフックが一体突設されると共に、該各フ
ックに対向してローダーシャーシの両側板前端に一対の抜止め片が設けられており、トレ
イオープン時に、フィードモータをタイマー制御して第２ピニオンを正転させることによ
り、ダブルラックを介して光ピックアップを最前進位置まで移動させた後、サブラックを
ばねに抗してさらに前進させることにより係合片をロック板の上端を越えて前進させ、操
作ピンを操作溝に押し付け、その押付力でカムスライダをスライドさせてカムラックを第
１ピニオンに噛合させ、該第１ピニオンを正転させることによりカムスライダ及びカム機
構を介してトラバースシャーシを下動させて傾斜姿勢にすることによりターンテーブルか
らトレイにディスクを移し替え、それとほぼ同時に係合片をロック板に係合させ、前記第
１ピニオンに噛合するトレイラックを介してトレイを前進させ、該トレイの各フックを各
抜止め片に当接させることによりそのトレイを最前進位置で停止させるようにしたディス
ク装置において、カムスライダの下面をスライド可能に支持する横断面略Ｌ字状ガイドレ
ールがローダーシャーシの前板部に一体形成され、前記縦溝の下端に隣接してストッパが
ガイドレールに一体突設され、そのストッパを縦溝の内側面とそれに嵌入するカムピンと
の間の隙間に相当する分だけ該縦溝側に入り込ませており、トラバースシャーシを下動さ
せて傾斜姿勢にしたときに、カムピンがストッパの側縁に当接されるようにしたことを特
徴とするディスク装置。
【請求項２】
ディスク載置用トレイを前後進可能に支持するローダーシャーシが設けられ、光ピック
アップとターンテーブルとを搭載したトラバースシャーシの後部が弾性体を介してローダ
ーシャーシに上下動可能に連結され、該ローダーシャーシの前板部にカムスライダが前後
進方向とは直交する左右方向に沿ってスライド可能に配置され、該カムスライダに形成し
たカム溝と前記トラバースシャーシの前面に一体突設されて該カム溝に嵌入するカムピン
とからなるカム機構によりそのトラバースシャーシがカムスライダに連動連結され、前記
カムピンが前板部の縦溝に遊嵌入されて、そのカムピンと縦溝の両内側面との間に隙間が
形成され、前記カムスライダの一端に形成したカムラックと前記トレイの下面に前後進方
向に沿って一体突設したトレイラックとが噛合可能な第１ピニオンがローダーシャーシの
前板部に回転可能に配置され、前記光ピックアップに一体連結したメインラックと該メイ
ンラックに一定範囲内前後進可能に連結した状態でばねにより後進側に付勢されたサブラ
ックとからなるダブルラックが設けられ、該ダブルラックに噛合可能な第２ピニオンがロ
ーダーシャーシに設けられ、第１、第２のピニオンをギヤ機構を介して正逆回転させるフ
ィードモータがトラバースシャーシに設けられ、前記サブラックの前端に突設した操作ピ
ンに対向して前記カムスライダに操作溝が形成されると共に、そのサブラックの前部側縁
に係合片が一体突設されると共に、該係合片に対向してローダーシャーシの前板部にロッ
ク板が一体形成され、前記トレイの両側面後端にフックが一体突設されると共に、該各フ
ックに対向してローダーシャーシの両側板前端に一対の抜止め片が設けられており、トレ
イオープン時に、フィードモータをタイマー制御して第２ピニオンを正転させることによ
り、ダブルラックを介して光ピックアップを最前進位置まで移動させた後、サブラックを
ばねに抗してさらに前進させることにより係合片をロック板の上端を越えて前進させ、操
作ピンを操作溝に押し付け、その押付力でカムスライダをスライドさせてカムラックを第
１ピニオンに噛合させ、該第１ピニオンを正転させることによりカムスライダ及びカム機
構を介してトラバースシャーシを下動させて傾斜姿勢にすることによりターンテーブルか
らトレイにディスクを移し替え、それとほぼ同時に係合片をロック板に係合させ、前記第
１ピニオンに噛合するトレイラックを介してトレイを前進させ、該トレイの各フックを各
抜止め片に当接させることによりそのトレイを最前進位置で停止させるようにしたディス
ク装置において、前記縦溝の下端に隣接してストッパが設けられ、該ストッパを縦溝の内
側面とそれに嵌入するカムピンとの間の隙間に相当する分だけ該縦溝側に入り込ませてお
り、トラバースシャーシを下動させて傾斜姿勢にしたときに、カムピンがストッパの側縁
に当接されるようにしたことを特徴とするディスク装置。
【請求項３】
前記カムスライダの下面をスライド可能に支持する横断面略Ｌ字状ガイドレールがロー
ダーシャーシの前板部に一体形成され、該ガイドレールに前記ストッパが一体突設されて
いることを特徴とする請求項２に記載のディスク装置。
【発明の詳細な説明】
【技術分野】
【０００１】
本発明は、ディスク装置（例えばＤＶＤレコーダやＤＶＤプレーヤなど）に関し、特に
、部品点数を増加させることなく想定外の負荷が局部的にかからないようにして耐久性を
向上させたものである。
【背景技術】
【０００２】
従来、ディスク装置として図８〜図１６に示すものがあり、これはＤＶＤレコーダであ
って、図８は同ディスククランプ状態を示す一部切欠き平面図、図９は同縦断面図、図１
０は同横断面図、図１１は同要部の斜視図、図１２は同トレイオープン状態を示す一部切
欠き平面図、図１３は同横断面図、図１４（ａ）は同トリガー作動中の前段を示す平面図
、図１４（ｂ）は同側面図、図１５（ａ）は同トリガー作動中の後段を示す平面図、図１
５（ｂ）は同側面図、図１６は同想定外の負荷が局部的にかかっている状態を示す平面図
である。
【０００３】
図８〜図１１に示すように、ディスクＤ載置用トレイ１を前後進ａ，ｂ可能に支持する
ローダーシャーシ２が設けられ、ディスクＤの半径方向に沿って前後進ａ，ｂ可能な対物
レンズＯＬ付き光ピックアップ３とターンテーブル４付きスピンドルモータ５とを搭載し
たトラバースシャーシ６の後部がゴムからなる左右一対の弾性体７を介してローダーシャ
ーシ２に上下動ｃ，ｄ可能に連結され、該ローダーシャーシ２の前板部２ａにカムスライ
ダ８が前後進ａ，ｂ方向とは直交する左右方向ｅ，ｆに沿ってスライド可能に配置され、
該カムスライダ８とトラバースシャーシ６とがカム機構９により連動連結され、該カム機
構９は、カムスライダ８の垂直部に形成した一対のカム溝１０ａ，１０ｂと、トラバース
シャーシ６の前面に一体突設されて各カム溝１０ａ，１０ｂに嵌入する一対のカムピン１
１ａ，１１ｂとからなり、その一方のカムピン１１ａが前板部２ａの縦溝１４に遊嵌入さ
れて、その一方のカムピン１１ａと縦溝１４の両内側面との間に隙間α（例えば０．５〜
２ｍｍ）が形成され、その他方のカムピン１１ｂにゴムからなる弾性体及びキャップを備
えたダンパー１２が外嵌され、該ダンパー１２が前板部２ａの縦溝１５に遊嵌入されてお
り、トラバースシャーシ６が両弾性体７とダンパー１２とにより一定範囲内揺動可能に支
持されている。
【０００４】
図８〜図１１に示すように、カムスライダ８の一端に形成したカムラック１７とトレイ
１の下面に前後進ａ，ｂ方向に沿って一体突設したトレイラック１８とが噛合可能な第１
ピニオン１９がローダーシャーシ２の前板部２ａに回転可能に配置され、該第１ピニオン
１９の下端に大径歯車２０が一体形成されている。
【０００５】
図８、図１１及び図１４に示すように、光ピックアップ３にダブルラック２２が設けら
れ、該ダブルラック２２が、光ピックアップ３に一体連結したメインラック２３と該メイ
ンラック２３に一定範囲内前後進ａ，ｂ可能に連結した状態でばね２４により後進ｂ側に
付勢されたサブラック２５とからなり、該ダブルラック２２に噛合可能な第２ピニオン２
６がローダーシャーシ２に設けられ、第１、第２のピニオン１９，２６をギヤ機構２７を
介して正逆回転ｇ，ｈ、ｉ，ｊさせるフィードモータ２８がトラバースシャーシ６に設け
られている。
【０００６】
図８及び図１４に示すように、サブラック２５の前端に突設した操作ピン３０に対向し
てカムスライダ８の下面に突設した一対の突片３１間に操作溝３２が形成されると共に、
そのサブラック２５の前部側縁に係合片３３が一体突設され、該係合片３３に対向してロ
ーダーシャーシ２の前板部２ａに凹溝３４が形成され、該凹溝３４の開口部一側縁にロッ
ク板３５が一体形成されている。
【０００７】
図８に示すように、トレイ１の両側面後端にフック３７が一体突設されると共に、該各
フック３７に対向してローダーシャーシ２の両側板２ｂの内側面前端に一対の抜止め片３
８が設けられ、カムスライダ８の水平部に左右一対のガイドピン３９が一体突設されると
共に、該各ガイドピン３９に対向してトレイ１の下面に一対のガイド溝４０が形成され、
図９に示すように、ローダーシャーシ２の両側板２ｂ間に横桁４１が架設され、該横桁４
１の中央貫通孔４１ａにクランパ４２が一定範囲内昇降可能に嵌合されている。
【０００８】
動作原理を説明すると、図８〜図１１はディスククランプ状態を示しており、トラバー
スシャーシ６を上限位置まで上昇させて水平姿勢とし、トレイ１上のディスクＤをターン
テーブル４で持ち上げて、該ディスクＤをターンテーブル４とクランパ４２とでクランプ
しており、スピンドルモータ５によりターンテーブル４を介してディスクＤを高速回転さ
せ、フィードモータ２８により第２のピニオン２６を正逆回転ｉ，ｊさせ、ダブルラック
２２を介して光ピックアップ３を前後進ａ，ｂさせ、該光ピックアップ３によりディスク
Ｄに記録されている映像情報の再生や録画をおこなう。
【０００９】
この場合、トラバースシャーシ６が両弾性体７とダンパー１２とにより一定範囲内揺動
可能に支持されており、スピンドルモータ５を駆動することにより生じるトラバースシャ
ーシ６の自励振動を吸収して、再生や録画の性能を良好に維持する。
【００１０】
トレイオープン時には、フィードモータ２８をタイマー制御して第２ピニオン２６を正
転ｉさせることにより、ダブルラック２２を介して光ピックアップ３を最前進ａ位置まで
移動（図１２参照）させた後、図１４及び図１５のトリガー作動中の前段及び後段に示す
ように、サブラック２５をばね２４に抗してさらに前進ａさせることにより係合片３３を
ロック板３５の上端を越えて前進ａさせ、操作ピン３０を操作溝３２の斜面３２ａに押し
付け、その押付力でカムスライダ８を矢印ｆ方向にさせてカムラック１７を第１ピニオン
１９に噛合させ、該第１ピニオン１９を正転ｇさせることにより、カムスライダ８を矢印
ｆ方向にさらにスライドさせ、各カムピン１１ａ，１１ｂをカム溝１０ａ，１０ｂに沿っ
て降下させ、図９の仮想線及び図１３に示すように、トラバースシャーシ６を下動ｄさせ
て傾斜姿勢にすることにより、ターンテーブル４からトレイ１にディスクＤを移し替え、
それとほぼ同時に、図１５（ｂ）に仮想線で示すように、係合片３３をロック板３５に係
合させる。
【００１１】
この場合、係合片３３がロック板３５に係合しているので、ばね２４によりサブラック
２５が後進ｂされることがなく、トレイイン時まで、操作ピン３０を所定位置に待機させ
ることができる。
【００１２】
続いて、ガイドピン３９によりガイド溝４０の傾斜面４０ａが押されてトレイ１がわず
かに前進ａされ、トレイラック１８の前端が第１ピニオン１９に噛合され、それとほぼ同
時にカムラック１７が第１ピニオン１９から離間される。その第１ピニオン１９の正転ｇ
によりトレイラック１８を介してトレイ１を前進ａさせ。該トレイ１の各フック３７を各
抜止め片３８に当接させることにより、そのトレイ１を最前進ａ位置で停止させる（図１
２参照）。トレイイン時には、上記とは逆の手順で操作が行われる。なお、関連する技術
として特許文献１に記載したものがある。
【特許文献１】特開２００４−１５２３８８号公報
【発明の開示】
【発明が解決しようとする課題】
【００１３】
上記従来の構成では、図１３に示すように、トレイオープン状態において、他方のカム
ピン１１ｂのダンパー１２がカム溝１０ｂから離脱され、一方のカムピン１１ａと縦溝１
７の両内側面との間に隙間αが形成されており、トラバースシャーシ６が一定範囲内揺動
可能状態になっている。その一方で、フィードモータ２８は、タイマー制御により一定時
間（例えば２〜５秒）だけ駆動され、トレイ１の各フック３７を各抜止め片３８に当接さ
せて該トレイ１を最前進ａ位置で停止させた後でも、わずかの時間（例えば０．１〜０．
５秒）であるが駆動を継続しており、その駆動によりトラバースシャーシ６に図１２上で
右回りの押圧力Ｆがかかるため、図１６に示すように、その押圧力Ｆでサブラック２５の
前部側縁及び係合片３３がロック板３５に強く押し付けられ、該サブラック２５に想定外
の負荷が局部的にかかって、図１６に仮想線で示すように、そのサブラック２５及びメイ
ンラック２３からなるダブルラック２２が変形したり損傷され、そのダブルラック２２を
円滑に前後進ａ，ｂさせることが困難になるおそれがある。
【００１４】
本発明は、上記従来の欠点に鑑み、部品点数を増加させることなく想定外の負荷が局部
的にかからないようにして耐久性を向上させたディスク装置を提供することを目的として
いる。
【課題を解決するための手段】
【００１５】
上記目的を達成するため、請求項１に記載の発明は、ディスク載置用トレイを前後進可
能に支持するローダーシャーシが設けられ、光ピックアップとターンテーブルとを搭載し
たトラバースシャーシの後部が弾性体を介してローダーシャーシに上下動可能に連結され
、該ローダーシャーシの前板部にカムスライダが前後進方向とは直交する左右方向に沿っ
てスライド可能に配置され、該カムスライダに形成したカム溝と前記トラバースシャーシ
の前面に一体突設されて該カム溝に嵌入するカムピンとからなるカム機構によりそのトラ
バースシャーシがカムスライダに連動連結され、前記カムピンが前板部の縦溝に遊嵌入さ
れて、そのカムピンと縦溝の両内側面との間に隙間が形成され、前記カムスライダの一端
に形成したカムラックと前記トレイの下面に前後進方向に沿って一体突設したトレイラッ
クとが噛合可能な第１ピニオンがローダーシャーシの前板部に回転可能に配置され、前記
光ピックアップに一体連結したメインラックと該メインラックに一定範囲内前後進可能に
連結した状態でばねにより後進側に付勢されたサブラックとからなるダブルラックが設け
られ、該ダブルラックに噛合可能な第２ピニオンがローダーシャーシに設けられ、第１、
第２のピニオンをギヤ機構を介して正逆回転させるフィードモータがトラバースシャーシ
に設けられ、前記サブラックの前端に突設した操作ピンに対向して前記カムスライダに操
作溝が形成されると共に、そのサブラックの前部側縁に係合片が一体突設されると共に、
該係合片に対向してローダーシャーシの前板部にロック板が一体形成され、前記トレイの
両側面後端にフックが一体突設されると共に、該各フックに対向してローダーシャーシの
両側板前端に一対の抜止め片が設けられており、トレイオープン時に、フィードモータを
タイマー制御して第２ピニオンを正転させることにより、ダブルラックを介して光ピック
アップを最前進位置まで移動させた後、サブラックをばねに抗してさらに前進させること
により係合片をロック板の上端を越えて前進させ、操作ピンを操作溝に押し付け、その押
付力でカムスライダをスライドさせてカムラックを第１ピニオンに噛合させ、該第１ピニ
オンを正転させることによりカムスライダ及びカム機構を介してトラバースシャーシを下
動させて傾斜姿勢にすることによりターンテーブルからトレイにディスクを移し替え、そ
れとほぼ同時に係合片をロック板に係合させ、前記第１ピニオンに噛合するトレイラック
を介してトレイを前進させ、該トレイの各フックを各抜止め片に当接させることによりそ
のトレイを最前進位置で停止させるようにしたディスク装置において、カムスライダの下
面をスライド可能に支持する横断面略Ｌ字状ガイドレールがローダーシャーシの前板部に
一体形成され、前記縦溝の下端に隣接してストッパがガイドレールに一体突設され、その
ストッパを縦溝の内側面とそれに嵌入するカムピンとの間の隙間に相当する分だけ該縦溝
側に入り込ませており、トラバースシャーシを下動させて傾斜姿勢にしたときに、カムピ
ンがストッパの側縁に当接されるようにしたことを特徴としている。
【００１６】
請求項２に記載の発明は、ディスク載置用トレイを前後進可能に支持するローダーシャ
ーシが設けられ、光ピックアップとターンテーブルとを搭載したトラバースシャーシの後
部が弾性体を介してローダーシャーシに上下動可能に連結され、該ローダーシャーシの前
板部にカムスライダが前後進方向とは直交する左右方向に沿ってスライド可能に配置され
、該カムスライダに形成したカム溝と前記トラバースシャーシの前面に一体突設されて該
カム溝に嵌入するカムピンとからなるカム機構によりそのトラバースシャーシがカムスラ
イダに連動連結され、前記カムピンが前板部の縦溝に遊嵌入されて、そのカムピンと縦溝
の両内側面との間に隙間が形成され、前記カムスライダの一端に形成したカムラックと前
記トレイの下面に前後進方向に沿って一体突設したトレイラックとが噛合可能な第１ピニ
オンがローダーシャーシの前板部に回転可能に配置され、前記光ピックアップに一体連結
したメインラックと該メインラックに一定範囲内前後進可能に連結した状態でばねにより
後進側に付勢されたサブラックとからなるダブルラックが設けられ、該ダブルラックに噛
合可能な第２ピニオンがローダーシャーシに設けられ、第１、第２のピニオンをギヤ機構
を介して正逆回転させるフィードモータがトラバースシャーシに設けられ、前記サブラッ
クの前端に突設した操作ピンに対向して前記カムスライダに操作溝が形成されると共に、
そのサブラックの前部側縁に係合片が一体突設されると共に、該係合片に対向してローダ
ーシャーシの前板部にロック板が一体形成され、前記トレイの両側面後端にフックが一体
突設されると共に、該各フックに対向してローダーシャーシの両側板前端に一対の抜止め
片が設けられており、トレイオープン時に、フィードモータをタイマー制御して第２ピニ
オンを正転させることにより、ダブルラックを介して光ピックアップを最前進位置まで移
動させた後、サブラックをばねに抗してさらに前進させることにより係合片をロック板の
上端を越えて前進させ、操作ピンを操作溝に押し付け、その押付力でカムスライダをスラ
イドさせてカムラックを第１ピニオンに噛合させ、該第１ピニオンを正転させることによ
りカムスライダ及びカム機構を介してトラバースシャーシを下動させて傾斜姿勢にするこ
とによりターンテーブルからトレイにディスクを移し替え、それとほぼ同時に係合片をロ
ック板に係合させ、前記第１ピニオンに噛合するトレイラックを介してトレイを前進させ
、該トレイの各フックを各抜止め片に当接させることによりそのトレイを最前進位置で停
止させるようにしたディスク装置において、前記縦溝の下端に隣接してストッパが設けら
れ、該ストッパを縦溝の内側面とそれに嵌入するカムピンとの間の隙間に相当する分だけ
該縦溝側に入り込ませており、トラバースシャーシを下動させて傾斜姿勢にしたときに、
カムピンがストッパの側縁に当接されるようにしたことを特徴としている。
【００１７】
請求項３記載の発明は、請求項２に記載の発明において、前記カムスライダの下面をス
ライド可能に支持する横断面略Ｌ字状ガイドレールがローダーシャーシの前板部に一体形
成され、該ガイドレールに前記ストッパが一体突設されていることを特徴としている。
【発明の効果】
【００１８】
請求項１に記載の発明は実施の一形態（図１〜図６参照）に対応するものであって、こ
れによれば、トレイオープン時に、タイマー制御によりフィードモータを一定時間だけ駆
動させ、トレイの各フックを各抜止め片に当接させて該トレイを最前進位置で停止させた
後、わずかの時間であるが継続されるフィードモータの駆動によりトラバースシャーシに
かかる押圧力でサブラックの前部側縁及び係合片がロック板に押し付けられるときに、そ
の押圧力をストッパで分担して受け持つので、前記サブラックの前部側縁及び係合片に従
来のように想定外の負荷が局部的にかかることがなくなり、そのサブラック及びメインラ
ックからなるダブルラックが変形したり損傷されないようにして、そのダブルラックの耐
久性を向上させることができる。
【００１９】
また、ガイドレールによってカムスライダの下面が支持されているので、そのカムスラ
イダを左右方向に円滑にスライドさせることができる。更に、ストッパがローダーシャー
シの前板部に一体突設されており、部品点数が増加していないから、経済的である。
【００２０】
請求項２に記載の発明は基本形態に対応するものであって、これによれば、トレイオー
プン時に、タイマー制御によりフィードモータを一定時間だけ駆動させ、トレイの各フッ
クを各抜止め片に当接させて該トレイを最前進位置で停止させた後、わずかの時間である
が継続されるフィードモータの駆動によりトラバースシャーシにかかる押圧力でサブラッ
クの前部側縁及び係合片がロック板に押し付けられるときに、その押圧力をストッパで分
担して受け持つので、前記サブラックの前部側縁及び係合片に従来のように想定外の負荷
が局部的にかかることがなくなり、そのサブラック及びメインラックからなるダブルラッ
クが変形したり損傷されないようにして、そのダブルラックの耐久性を向上させることが
できる。
【００２１】
請求項３に記載の発明によれば、ガイドレールによってカムスライダの下面が支持され
ているので、そのカムスライダを左右方向に円滑にスライドさせることができる。また、
ストッパがローダーシャーシの前板部に一体突設されており、部品点数が増加していない
から、経済的である。
【発明を実施するための最良の形態】
【００２２】
図１〜図６は本発明の実施の一形態であるディスク装置を示すものであり、これはＤＶ
Ｄレコーダであって、図１は同ディスククランプ状態を示す一部切欠き平面図、図２は同
縦断面図、図３（ａ）は同横断面図、図３（ｂ）はＡ−Ａ矢視図、図４は同要部の斜視図
、図５は同トレイオープン状態を示す一部切欠き平面図、図６（ａ）は同横断面図、図６
（ｂ）はＢ−Ｂ矢視図、図７は同ストッパの作用を示す平面図である。
【００２３】
図１〜図４に示すように、カムスライダ８の下面をスライド可能に支持する横断面略Ｌ
字状ガイドレール４２がローダーシャーシ２の前板部２ａに一体形成され、両縦溝１４，
１５間でその一方の縦溝１４の下端に隣接してストッパ４３がガイドレール４２に一体突
設され、そのストッパ４３を一方の縦溝１４の内側面とそれに嵌入するカムピン１１ａと
の間の隙間αに相当する分（例えば０．５〜２ｍｍ）だけ該縦溝１４側に入り込ませてい
る。上記以外の構成は図８〜図１６に示す構成とほぼ同じであるから、同一部分に同一符
号を付してその説明を省略する。
【００２４】
図１〜図４はディスククランプ状態を示しており、その操作原理は従来とほぼ同じであ
るから（図８〜図１１参照）、その説明を省略する。
【００２５】
図２の仮想線、図５及び図６はトレイオープン状態を示しており、フィードモータ２８
をタイマー制御して、トラバースシャーシ６を下動ｄさせて傾斜姿勢にするまでは従来と
ほぼ同じであるが、各カムピン１１ａ，１１ｂを各カム溝１０ａ，１０ｂに沿って降下さ
せることにより、その一方のカムピン１１ａがストッパ４３の側縁に当接（または接近）
される。
【００２６】
その後、トレイ１の各フック３７を各抜止め片３８に当接させることにより、該トレイ
１を最前進ａ位置で停止させる（図５参照）。この状態でも、フィードモータ２８の駆動
がわずかの時間（例えば０．１〜０．５秒）であるが継続されており、その駆動によりト
ラバースシャーシ６に図５上で右回りの押圧力Ｆがかかり、その押圧力Ｆでサブラック２
５の前部側縁及び係合片３３がロック板３５に押し付けられ、それと同時に、一方のカム
ピン１１ａがストッパ４３の側縁に当接され、その押圧力Ｆが分散される。
【００２７】
上記構成によれば、トレイオープン時に、トラバースシャーシ６にかかる右回りの押圧
力Ｆでサブラック２５の前部側縁及び係合片３３がロック板３５に押し付けられるときに
、その押圧力Ｆをストッパ４３で分担して受け持つので、前記サブラック２５の前部側縁
及び係合片３３に従来のように想定外の負荷が局部的にかかることがなくなり（図７参照
）、そのサブラック２５及びメインラック２３からなるダブルラック２２が変形したり損
傷されないようにして、そのダブルラック２２の耐久性を向上させることができる。
【００２８】
また、ガイドレール４２によってカムスライダ８の下面が支持されているので、そのカ
ムスライダ８を左右方向ｅ，ｆに円滑にスライドさせることができる。更に、ストッパ４
３がローダーシャーシ２の前板部２ａに一体突設されており、部品点数が増加していない
から、経済的である。
【図面の簡単な説明】
【００２９】
【図１】本発明の実施の一形態であるディスク装置におけるディスククランプ状態を示す一部切欠き平面図である。
【図２】同縦断面図である。
【図３】（ａ）は同横断面図、（ｂ）はＡ−Ａ矢視図である。
【図４】同要部の斜視図である。
【図５】同トレイオープン状態を示す一部切欠き平面図である。
【図６】（ａ）は同横断面図、（ｂ）はＢ−Ｂ矢視図である。
【図７】同ストッパの作用を示す平面図である。
【図８】従来例におけるディスククランプ状態を示す一部切欠き平面図である。
【図９】同縦断面図である。
【図１０】同横断面図である。
【図１１】同要部の斜視図である。
【図１２】同トレイオープン状態を示す一部切欠き平面図である。
【図１３】同横断面図である。
【図１４】（ａ）は同トリガー作動中の前段を示す平面図、（ｂ）は同側面図である。
【図１５】（ａ）は同トリガー作動中の後段を示す平面図、（ｂ）は同側面図である。
【図１６】同想定外の負荷が局部的にかかっている状態を示す平面図である。
【符号の説明】
【００３０】
１              トレイ
２              ローダーシャーシ
２ａ            ローダーシャーシの前板部
３              光ピックアップ
４              ターンテーブル
６              トラバースシャーシ
７              弾性体
８              カムスライダ
９              カム機構
１０ａ，１０ｂ  カム溝
１１ａ，１１ｂ  カムピン
１４，１５      縦溝
１７            カムラック
１８            トレイラック
１９            第１ピニオン
２２            ダブルラック
２３            メインラック
２４            ばね
２５            サブラック
２６            第２ピニオン
２７            ギヤ機構
２８            フィードモータ
３０            操作ピン
３２            操作溝
３３            係合片
３５            ロック板
３７            フック
３８            抜止め片
４２            ガイドレール
４３            ストッパ
Ｄ              ディスク
ａ，ｂ          前後進
ｅ，ｆ          左右方向
【図１】
2008198278.tif 000003
【図２】
2008198278.tif 000004
【図３】
2008198278.tif 000005
【図４】
2008198278.tif 000006
【図５】
2008198278.tif 000007
【図６】
2008198278.tif 000008
【図７】
2008198278.tif 000009
【図８】
2008198278.tif 000010
【図９】
2008198278.tif 000011
【図１０】
2008198278.tif 000012
【図１１】
2008198278.tif 000013
【図１２】
2008198278.tif 000014
【図１３】
2008198278.tif 000015
【図１４】
2008198278.tif 000016
【図１５】
2008198278.tif 000017
【図１６】
2008198278.tif 000018